(57)【要約】【課題】軸受内部の保持器が安定感のあるバランス機能を有するとともにグリスの供給を簡便にして回動軸の回転を可及的向上させ、長期にわたる正常運転を可能とした回転軸受を提供すること。【解決手段】取付脚２を有する固定輪１と、回転自在の帽形輪５、及び周縁に多数個の球体１４を配列した樹脂製保持器１１で構成される。帽形輪５は左右一対で固定輪の両側に対設され、前記保持器１１が帽形輪の内輪部外側に遊嵌され且つ固定輪の内曲片３により横方向への動きが抑止されて回転バランスがよく、更に帽形輪の鍔壁９縁部にグリス注入口１０を形成した。【選択図】図１
0003194244.tif 000002
【実用新案登録請求の範囲】
【請求項１】
取付脚を有する固定輪と、回転自在の帽形輪、及び周縁に多数個の球体を配列した樹脂製保持器で構成され、前記帽形輪は左右一対で固定輪の両側に対設されるとともに回動軸を挿通する角孔を形成した奥端壁同士を固着して一体状となし、前記保持器が帽形輪の内輪部外側に遊嵌され且つ固定輪の内曲片により横方向への動きが抑止されて回転バランスを保ち、しかして帽形輪の鍔壁縁部にグリス注入口を形成したことを特徴とするバランス機能を備えた保持器付き回転軸受。
【考案の詳細な説明】
【技術分野】
【０００１】  本考案は回動軸の回転を円滑にするバランス機能を備えた保持器付き回転軸受に関する。
【背景技術】
【０００２】  各種構造体における回動軸の回転には軸受が不可欠であり、その回転をスムーズにするためにベアリング保持器が内部に組み込まれた構成をとることが多いものの、保持器、潤滑剤の態様によっては回動軸の回転機能に影響することは当然の事柄でもある。例えば下記特許文献１には、爪折れ状態を生じることなく転動体（ボール）をポケットに挿入することを可能とした樹脂製保持器を特徴とする技術が記載され、保持器に転動体を取り付ける際に該転動体が爪部の外側に当接しても爪部が内側に屈曲変形することが回避されるとする構成をとっている。【０００３】  また特許文献２には、転動体の組み込み時に位置ずれがあったとしても転動体をポケット内にスムーズに取り付けでき、爪部の弾性変形特性の悪化を防ぎグリスポケットの容積減少を抑制する機能を有することができるとしている。【０００４】  ところで一般的には長尺な回動軸といえども従来既存の軸受のもつ基本的態様のものを踏襲していて軸受そのものの構造上の利便性を追求しているものは稀であり、経年劣化があった場合に修理をするか必要時に交換するといった程度の作業をすることで現状が維持できるものとして格別の考慮を払っていないものが殆どといえる（例えば特許文献３参照）。
【先行技術文献】
【特許文献】
【０００５】
【特許文献１】特開２００９−１９１８６５号公報
【特許文献２】特開２０１２−７２８８３号公報
【特許文献３】特開平１１−５６１１９号公報（図１の符号９）
【考案の概要】
【考案が解決しようとする課題】
【０００６】  しかして前記特許文献１では、保持器が周方向に沿った厚みがあり、先端部の頂点位置と傾斜角度を規定する爪部を有するというものであるが、ボールを固定する際にややもすると爪部の弾性変形が阻害される懸念がある。またこの保持器では構造上十分なグリス量を確保できるか否かが不明であり、転動体の大きさも玉径が２ｍｍ以下のものとしているため用途も限定されるなどの問題がある。【０００７】  また特許文献２に開示された技術は、情報記録再生装置における軸受であるからその限りにおいては有効であるが、例えば軸受内に挿通する回動軸を起点とする大がかりな開閉装置に実施するには不向きであることは否めない。【０００８】  本考案は従来技術の軸受が持つ諸不利を解消するべくしてなされたもので、軸受内部の保持器がスラスト荷重に耐えられるバランス機能を有して回動軸の回転を飛躍的に向上させ、長期にわたる正常運転を可能とした回転軸受を提供することを意図している。
【課題を解決するための手段】
【０００９】  上記課題を解決する本考案の態様は、取付脚を有する固定輪と、回転自在の帽形輪、及び周縁に多数個の球体を配列した樹脂製保持器で構成され、前記帽形輪は左右一対で固定輪の両側に対設されるとともに回動軸を挿通する角孔を形成した奥端壁同士を固着して一体状となし、前記保持器が帽形輪の内輪部外側に遊嵌され且つ固定輪の内曲片により横方向への動きが抑止されて回転バランスを保ち、しかして帽形輪の鍔壁縁部にグリス注入口を屈曲形成したことを特徴とする。
【考案の効果】
【００１０】  左右一対の帽形輪に遊嵌されている保持器は、固定輪の内曲片により左右への動きが抑止されているため同一軌道上を確実にフリー回転し、同時に保持器に配列されている球体も帽形輪の鍔壁内側に沿い転動して帽形輪の回転をスムーズにする。つまり左右の帽形輪が固定輪の内部にあってその動きを長期にわたって保持し、帽形輪の角孔に挿通する回動軸にも好影響をあたえる結果、回動軸を起点とする各種開閉装置等の操作性を良好なものとする。【００１１】  保持器は樹脂製のためグリスの潤滑機能が存分に発揮されて一度塗布すると頻繁に供給する必要はないが、回動軸の回転頻度、室内温度等により再度の供給を要する場合は、帽形輪の鍔壁縁部にあけた注入口よりグリス潤滑剤をスプレー式に注入することにより容易に補充でき、したがって不測の事態にも速やかな対応が可能で、軸受の面倒な取り外し・交換などの作業を必要としない。
【図面の簡単な説明】
【００１２】
【図１】（ａ）は本案軸受の取付正面図、（ｂ）は内部構造を俯瞰した一部切断図である。
【図２】（ａ）は軸受の要部断面図、（ｂ）は帽形輪の背面図である。
【図３】（ａ）は保持器の背面図、（ｂ）は保持器を帽形輪に嵌合した側面図である。
【考案を実施するための形態】
【００１３】  本考案を実施する形態につき図面を参照して説明すると、図１（ａ）は本案軸受の正面外観の一例を示すもので、外側の固定輪１と一体の取付脚２が室内高所にある架設材４に配置されてねじ固定され、固定輪１には左右一対の帽形輪５が両側に設けられている。なお図では軸受を架設材の上面に配置してあるが元々は架設材４下面に取り付けられる。そして帽形輪５には中央に角形回動軸Ｐを挿通する角孔８が形成されている。
【００１４】  （ｂ）図は軸受固定輪１の一部を切欠いて内部構造を俯瞰したもので、左右（図では上下）が全く対称であることが分かる。固定輪１は内周面に沿って鉤状の内曲片３を形成してあり、この内曲片３と帽形輪５の鍔壁９との間に保持器１１の取付突子１３及び球体１４が位置するため帽形輪５はフリー回転しても左右への動きは鍔壁９と内曲片３に制御されて回転バランスを保ち、それゆえ左右の帽形輪５は同一軌道上を円滑に回転する。図中１０は帽形輪５の鍔壁９縁部に外方屈曲したグリス注入口を示す。
【００１５】  しかして図２（ａ）は要部の上半部断面であり、（ｂ）は帽形輪５の外観背面を示すもので、帽形輪５は側端の鍔壁９に連なって横凸状の内輪部６が形成され、該内輪部６の奥端壁７に四角形状の前記角孔８を形成したものであり、左右の帽形輪５は奥端壁７においてねじ止めされ両者は一体状となっている。そして帽形輪５の鍔壁９は固定輪１の外側面に位置し、左右の帽形輪１は前記回動軸Ｐの回転とともに固定輪１の内面を回転する。またグリス切れとなったときは図示のようにスプレー缶Ｃの液状グリスを注入口１０より補充する。
【００１６】  図３（ａ）（ｂ）において帽形輪５の内輪部６外側に遊嵌する前記保持器１１は樹脂・ナイロン製からなり、保持器の環状部１２が内輪部６の外側にフリー回転し、環状部１２の側部周面に列設した多数個の取付突子１３間に直径５ミリほどの球体１４を夫々挟着したもので、該球体１４もフリー回転することは勿論である。
【００１７】  保持器１１及び帽形輪５の回転を円滑にするグリスは、一般的な軸受同様設置時にあらかじめ塗布しておくため通常は運転に全く問題はなく、しかも保持器１１に樹脂製のものを使用するため擦過痕を生じたり、きしみ音を発生することはないが、長期使用中には製品の経年劣化や室内の温度変化、更には設置場所や環境状態によっては潤滑剤の寿命に影響することも少なくなく、特に農業用ハウスなどの室内高所に設置した軸受の場合、修理や交換を余儀なくされるとその作業には熟練を要するため設置者側・農家側の双方にとって労力・費用面などの負担も看過しえない一面がある。
【００１８】  しかるに本案軸受では帽形輪５の鍔壁９周縁をわずかに内方屈曲してグリス注入口１０を形成してあるので、高所といえども脚立を利用してグリスを充填してあるスプレー缶Ｃを注入口１０に注入する簡単な作業ですみ、このためグリス供給切れを感知した時は熟練を要さずに誰もが容易に補充でき、保持器・帽形輪の回転動作を絶えずスムーズに保持することができる。
【符号の説明】
【００１９】  １  固定輪    ２  取付脚    ３  内曲片    ４  架設材    ５  帽形輪
６  内輪部    ７  奥端壁    ８  角孔    Ｐ  回動軸    ９  鍔壁
１０  注入口    １１  保持器    １２  環状部    １３  取付突子    １４  球体
１５  スプレー缶
【図１】
0003194244.tif 000003
【図２】
0003194244.tif 000004
【図３】
0003194244.tif 000005